(57)【要約】【課題】デジタルカメラの撮影に外付けストロボを使用する場合において、操作を簡単にして適正露出の高品位な写真が撮れるようにする方法及び装置を提供することである。【解決手段】  デジタルカメラの撮影に外付けストロボを用いて写真を撮る場合、デジタルカメラの内蔵ストロボの光が被写体に当たるのを防ぐ遮光手段を設け、導光手段により内蔵ストロボの信号を導き外付けストロボを発光させる方法及び装置であり、カメラ側からの信号をトリガーとして外付けストロボのプレ発光と本発光を制御する事により適正な露出になるように改良したことを特徴とするデジタルカメラ用外付けストロボの発光制御方法及び装置を提供することである。【選択図】    図１
2006109386.tif 000002
【特許請求の範囲】
【請求項１】
デジタルカメラの内蔵ストロボの光が被写体に当たるのを防ぐ遮光手段を設け、導光手段により内蔵ストロボの信号を導き、その信号により外付けストロボを発光動作させる方法において、
内蔵ストロボがプレ発光したとき、その発光信号をトリガーとして外付けストロボを発光開始させる発光開始手段と内蔵ストロボのプレ発光の停止をトリガーとして外付けストロボのプレ発光を停止させるプレ発光停止手段と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段を備えたデジタルカメラ用外付けストロボの発光制御方法
【請求項２】
デジタルカメラの内蔵ストロボの光が被写体に当たるのを防ぐ遮光手段を設け、導光手段により内蔵ストロボの信号を導き、その信号により外付けストロボを発光動作させる装置において、
内蔵ストロボがプレ発光したとき、その発光信号をトリガーとして外付けストロボを発光開始させる発光開始手段と内蔵ストロボのプレ発光の停止をトリガーとして外付けストロボのプレ発光を停止させるプレ発光停止手段と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段を備えたデジタルカメラ用外付けストロボの発光制御装置
【請求項３】
デジタルカメラの内蔵ストロボの光が被写体に当たるのを防ぐ遮光手段を設け、導光手段により内蔵ストロボの信号を導き、その信号により外付けストロボを発光動作させる方法において、
内蔵ストロボがプレ発光したとき、その発光信号をトリガーとして外付けストロボを発光開始させる発光開始手段とあらかじめ設定した時間後に外付けストロボのプレ発光を停止させるプレ発光停止手段２と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段を備えたデジタルカメラ用外付けストロボの発光制御方法
【請求項４】
デジタルカメラの内蔵ストロボの光が被写体に当たるのを防ぐ遮光手段を設け、導光手段により内蔵ストロボの信号を導き、その信号により外付けストロボを発光動作させる装置において、
内蔵ストロボがプレ発光したとき、その発光信号をトリガーとして外付けストロボを発光開始させる発光開始手段とあらかじめ設定した時間後に外付けストロボのプレ発光を停止させるプレ発光停止手段２と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段を備えたデジタルカメラ用外付けストロボの発光制御装置
【請求項５】
防水ハウジングに入れたデジタルカメラに外付けされるストロボ装置で水中使用が可能なことを特徴とする請求項２に記載したデジタルカメラ用外付けストロボの発光制御装置
【請求項６】
防水ハウジングに入れたデジタルカメラに外付けされるストロボ装置で水中使用が可能なことを特徴とする請求項４に記載したデジタルカメラ用外付けストロボの発光制御装置
【請求項７】
外付けストロボ装置に閃光時間短縮手段、及び／または、立ち上がり時間短縮手段を有した事を特徴とする請求項２に記載したデジタルカメラ用外付けストロボの発光制御装置
【請求項８】
外付けストロボ装置に閃光時間短縮手段、及び／または、立ち上がり時間短縮手段を有した事を特徴とする請求項４に記載したデジタルカメラ用外付けストロボの発光制御装置
【請求項９】
外付けストロボ装置に閃光時間リミッター手段を有した事を特徴とする請求項２に記載したデジタルカメラ用外付けストロボの発光制御装置
【請求項１０】
外付けストロボ装置に閃光時間リミッター手段を有した事を特徴とする請求項４に記載したデジタルカメラ用外付けストロボの発光制御装置
【請求項１１】
外付けストロボにプレ発光遅延停止手段を有した事を特徴とする請求項１に記載したデジタルカメラ用外付けストロボの発光制御方法
【請求項１２】
外付けストロボ装置にプレ発光遅延停止手段を有した事を特徴とする請求項２に記載したデジタルカメラ用外付けストロボの発光制御装置
【発明の詳細な説明】
【発明の詳細な説明】
【技術分野】
【０００１】  本発明はストロボ内蔵型のデジタルカメラに外付けされるストロボの発光制御技術の改良に関する。
【背景技術】
【０００２】  本発明においては水中での使用と陸上での使用の両方が考えられる。本発明の効果が大きい水中使用の場合をメインに説明するが陸上での使用も可能である。
水中撮影にデジタルカメラ（以下単にカメラの場合も有り）を使用する場合は一般的にデジタルカメラを純正市販品の無色透明な防水ハウジングに入れて使用する。無色透明の理由はデジタルカメラに内蔵されたストロボ（以下内蔵ストロボ）を使用する時にストロボ光がそのまま防水ハウジングを通過して被写体を照らすようにする為である。
水中では陸上に比べ暗い場合が多いため陸上よりもストロボ光が必要になる。その場合内蔵ストロボを使用するとストロボ光がレンズ近くの海水中のゴミ、微生物、細かい物体等に当たって白く反射してきれいな写真が撮れない事がある。これをマリンスノー現象ともいう。
また、内蔵ストロボを使用すると画面の中心が明るくなり見た目がフラットな写真になってしまう。また、水中では内蔵ストロボの光量が不足し、露出不足になる等の問題がある。
陸上での商品撮影等の場合も内蔵ストロボのスポット的照射光が被写体から反射してきれいに撮れないことがある。これはカメラ側のストロボ発光部がレンズに近いため起きる問題である。【０００３】  この様な問題を解消する為には内蔵ストロボの発光にスレーブする外付けストロボが使用されている。これは外付けストロボの発光部はカメラのレンズから離す事が出来るので前記の内蔵ストロボ使用での問題は少なくなり、その分きれいな写真が撮れることになる。
外付けストロボの機能としては撮影距離が変わっても光量が一定に保たれるオートストロボが多く使用されている。これは被写体の距離が変わると光量調節が必要なマニュアルストロボよりも操作が簡単な為である。
オートストロボを使用して適正露出にするためにはカメラの絞り値とストロボの絞り値（光量の値）を同じに合わせる必要がある。
すなわちカメラの絞りを変えるたびにストロボの絞り値も変えなくてはならないという問題がある。また、正しく動作させる為にはオートストロボのセンサーは正しく被写体の方へ向ける必要がある。
以下の説明では通常近距離撮影でストロボを使用すると考えて撮影距離は０．５ｍ〜１．５ｍ位を想定している。【０００４】  次に図を用いて説明する。図２は従来の方法及び装置であり、レンズ５、ＣＣＤ４、制御回路３、ストロボ発光部６などから構成されているデジタルカメラ１を水中では防水ハウジング２に入れて使用する。陸上では防水ハウジング２は不要である。
この防水ハウジングには従来型の外付けストロボ１１ｂが取り付けられている。外付けストロボはカメラのＸ接点に同調して発光させる必要が有るが、純正ハウジングには外付けストロボに接続するためのシンクロコードの端子は付いていない物がほとんどである。
これを付けると接続部を防水しなくてはならない為と、カメラにＸ接点の端子が付いてない物があり、この場合は取り付ける事は不可能な為である。
シンクロコードを用いないで行う簡単な方法として、図２のような内蔵ストロボ光の可視光を遮断して赤外光（近赤外光も含む）を透過するフィルター７を介して赤外光（近赤外光も含む）を導光手段としての光ファイバー８で導き、光検出回路９で信号を検出してその信号により外付けストロボ１１ｂを発光させる方法及び装置を使用している。上記導光手段は内蔵ストロボと外付けストロボの距離が近い時、光ファイバー８は不要の場合がある。その場合は内蔵ストロボの赤外光（近赤外光も含む）が直接空気または水を介して光検出回路９（センサー）に届くことになり、導光手段は空気または水となる。【０００５】  動作においてはまずシャッターレバーを押すと最初に内蔵ストロボ６がプレ発光する。それと同時に光ファイバー８を介して光検出回路９で内蔵ストロボの光を受け外付けストロボ１１ｂの制御回路１０ｂに導かれる。
このプレ発光は外付けストロボ１１ｂには必要ないもので、無視して発光しないか、または本発光に関係ない位の微少発光をさせる場合もある。
次の本発光は約１００ｍＳ後にシャッターが切れるのと同時に行われるが内蔵ストロボ光は前記フィルター７で遮光されているので被写体には当たらない。その光を前記プレ発光と同様に導いて制御回路１０ｂが本発光と判断して外付けストロボ１１ｂが動作する。そして反射鏡１２からの照射光１３が被写体に当たる。被写体からの反射光１６がセンサー１７に戻りセンサー１７は光を電気信号に変える。この電気信号は制御回路１０ｂ内の積分回路で積分されあらかじめ決められた値（適正露出）になったとき制御回路から信号を出し発光を停止させる。
これにより外付けストロボを使用して適正露出の写真が撮れる訳である。【０００６】  このような装置の場合前記のように
▲１▼適正露出にするためにはカメラの絞り値とストロボの絞り値を同じに合わせる必要があり、マニュアルストロボよりは良いが合わせる操作が面倒である。（ストロボの絞り値とは、実際には適正光量になる為の光量の強さの値でその値を分かりやすくするために通常カメラ側の絞り値に置き換えて操作部に書いてある）
▲２▼ストロボ１１ｂが被写体の中心を向かないとセンサー１７が被写体からの反射光を正しく受けなくなる為、露出が正確にならない事があり向きをセットするのが面倒である。
▲３▼カメラのレンズの前面にフィルターまたはコンバーターレンズを取り付けたとき露出が変化するがこれを自動的に補正できない。
▲４▼通常カメラにはズームレンズが付いていてテレ側とワイド側では実際の画角は異なっている。外付けストロボ１１ｂのセンサー１７は受光角が固定されていて、画角に合わせて連動しないので測光誤差が出ることがある。
▲５▼カメラ側をプログラムモードにしたとき、周囲の明るさにより絞りとシャッタースピードが変化するが外付けストロボをその値に合わせることは簡単では無く、適正露出にすることは難しい。
これらの問題があり簡単に使いこなす事は難しかった。
【発明が解決しようとする課題】
【０００７】  本発明はこのような従来技術に鑑みなされたものであり、本発明の目的はデジタルカメラの内蔵ストロボの光が被写体に当たるのを防ぐ遮光手段を設け、導光手段により内蔵ストロボの信号を導き外付けストロボを発光させる方法及び装置において、カメラ側からの信号をトリガーとして外付けストロボのプレ発光と本発光により適正な露出になるように制御すると共にストロボ側の絞り値の設定を不要にして、操作が簡単で適正露出の高品位な写真が撮れるようにしたデジタルカメラ用外付けストロボの発光制御方法及び装置を提供することである。
【課題を解決するための手段】
【０００８】  前記の課題を解決するためになされた請求項１の発明はデジタルカメラの内蔵ストロボの光が被写体に当たるのを防ぐ遮光手段を設け、導光手段により内蔵ストロボの信号を導き、その信号により外付けストロボを発光動作させる方法において、
内蔵ストロボがプレ発光したとき、その発光信号をトリガーとして外付けストロボを発光開始させる発光開始手段と内蔵ストロボのプレ発光の停止をトリガーとして外付けストロボのプレ発光を停止させるプレ発光停止手段と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段を備えたこと特徴とする。
【０００９】  請求項２の発明は、デジタルカメラの内蔵ストロボの光が被写体に当たるのを防ぐ遮光手段を設け、導光手段により内蔵ストロボの信号を導き、その信号により外付けストロボを発光動作させる装置において、
内蔵ストロボがプレ発光したとき、その発光信号をトリガーとして外付けストロボを発光開始させる発光開始手段と内蔵ストロボのプレ発光の停止をトリガーとして外付けストロボのプレ発光を停止させるプレ発光停止手段と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段を備えたことを特徴とする。
【００１０】  請求項３の発明は、デジタルカメラの内蔵ストロボの光が被写体に当たるのを防ぐ遮光手段を設け、導光手段により内蔵ストロボの信号を導き、その信号により外付けストロボを発光動作させる方法において、
内蔵ストロボがプレ発光したとき、その発光信号をトリガーとして外付けストロボを発光開始させる発光開始手段とあらかじめ設定した時間後に外付けストロボのプレ発光を停止させるプレ発光停止手段２と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段を備えたことを特徴とする。
【００１１】  請求項４の発明は、デジタルカメラの内蔵ストロボの光が被写体に当たるのを防ぐ遮光手段を設け、導光手段により内蔵ストロボの信号を導き、その信号により外付けストロボを発光動作させる装置において、
内蔵ストロボがプレ発光したとき、その発光信号をトリガーとして外付けストロボを発光開始させる発光開始手段とあらかじめ設定した時間後に外付けストロボのプレ発光を停止させるプレ発光停止手段２と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段を備えたことを特徴とする。
【００１２】  請求項５の発明は、請求項２の発明の前記構成に加えて防水ハウジングに入れたデジタルカメラに外付けされるストロボ装置で水中使用が可能なことを特徴とする。
【００１３】  請求項６の発明は、請求項４の発明の前記構成に加えて防水ハウジングに入れたデジタルカメラに外付けされるストロボ装置で水中使用が可能なことを特徴とする。
【００１４】  請求項７の発明は、請求項２の発明の前記構成に加えて外付けストロボ装置に閃光時間短縮手段、及び／または、立ち上がり時間短縮手段を有した事を特徴とする。
【００１５】  請求項８の発明は、請求項４の発明の前記構成に加えて外付けストロボ装置に閃光時間短縮手段、及び／または、立ち上がり時間短縮手段を有したことを特徴とする。
【００１６】  請求項９の発明は、請求項２の発明の前記構成に加えて外付けストロボ装置に閃光時間リミッター手段を有したことを特徴とする。
【００１７】  請求項１０の発明は、請求項４の発明の前記構成に加えて外付けストロボ装置に閃光時間リミッター手段を有したことを特徴とする。
【００１８】  請求項１１の発明は、請求項１の発明の前記構成に加えて外付けストロボにプレ発光遅延停止手段を有した事を特徴とする。
【００１９】  請求項１２の発明は、請求項２の発明の前記構成に加えて外付けストロボ装置にプレ発光遅延停止手段を有した事を特徴とする。
【発明を実施するための最良の形態】
【００２０】  本発明において、内蔵ストロボの可視光は前記理由から被写体に当たらないようにする必要がある。この方法及び装置は公知になっていて、図１図２のフィルター７のように赤外光（近赤外光も含む）を透過して可視光を遮断するフィルターを内蔵ストロボの前面に配置する方法及び装置が一般的になっている。
この方法及び装置の実施においては多数の例があり可視光を完全に遮断しなくても良い場合もある。本発明ではまとめて遮光手段として明細は実施例の方で説明する。
外付けストロボ１１ａはカメラから少し離れた所に配置され、公知の導光手段として光ファイバー８を使用し上記遮光手段からの信号を受けるようにしている。上記導光手段は内蔵ストロボと外付けストロボの距離が近い時、光ファイバー８は不要の場合がある。その場合は内蔵ストロボの光（赤外光、近赤外光も含む）が直接空気または水を介してセンサーに届くことになり、導光手段は空気または水となる。
【実施例】
【００２１】  次に本発明の実施例について図面に沿って説明する。図１は本発明の基本実施例を示すものである。
公知の前記遮光手段として、防水ハウジング２に入れる前にカメラの発光部６にあらかじめ赤外線透過可視光遮断のフィルター７を貼っておく。陸上用も同様である。
このようにすると内蔵ストロボが発光したとき可視光は遮断され周りからも漏れてこなくなり、これに起因する前記マリンスノー現象は起きなくなる。
また、赤外光は透過して強く出て照射され、その赤外光は光ファイバー８を介して光検出回路９に届き電気信号に変換される。光ファイバー８は前記のように不要の場合もある。
その電気信号が制御回路１０ａに加わり、外付けストロボ１１ａは発光制御される。【００２２】  前記遮光手段において赤外線透過可視光遮断のフィルターを貼る位置は同等に効果の出る他の場所でも良く防水ハウジング２の内側、防水ハウジング２の外側でも良い。
図１と図２の右側にその代表例を示していて、７ａは防水ハウジング２の内側に貼った物、７ｅは防水ハウジング２の外側に貼った物である。
また、防水ハウジング２が不透明の場合は赤外線透過可視光遮断フィルターを貼る必要が無くその例を７ｂに示す。この場合は光を採る小さい穴として７ｃまたは７ｄを開けておくだけで良い。７ｄまたは７ｈのように反射鏡の正面では無く位置がずれても光が届けば問題は無い。
７ｆは透明な窓を示しこの場合はこの窓の部分の前面か後面に赤外線透過可視光遮断フィルターを貼るか、７ｇのように光を遮断した板に穴を開けても良いし、採光の位置は７ｄまたは７ｈのように発光部の正面では無くても良い。
また、７ｇを７ｆの内側に移動して遮光しても良い。
水陸両用デジタルカメラの場合前記フィルターは７ｅのように内蔵ストロボの発光部の前面に貼るか、７ｇまたは７ｃのようになる。すなわち図１の防水ハウジング２がそのまま水陸両用カメラになったと考えれば良く効果は上記と同様になる。【００２３】  ここまでは遮光手段として赤外線透過可視光遮断フィルターの使用を例に説明してきたが、写真の写りに影響しない程度であれば光の漏れがあっても問題ないので、他の多数の遮光手段が考えられる。
例えば可視光に近い近赤外線を透過するフィルター、赤色系フィルター、または光量を減衰させるフィルターを使用しても良い。この場合、例えば内蔵ストロボの光量を約１／４以下に減衰させれば効果がある。
また、前記及び上記と同等な特性のプラスチック樹脂の成型品でも可能であり、この場合は自由に形を作ることが出来、防水ハウジング２の樹脂にこの特性を持たせることも出来る。
さらに、フィルターの代わりに遮光部材に小さい穴を開けた物でも良い。この場合を図で説明すると７ｅを遮光部材に変更して、その一部に採光の穴を開ければ良い。（図面は穴省略）
また、遮光部材には穴を開けずに採光場所をずらして７ｈのようにすることも出来る。
次に一眼レフカメラなどで内蔵ストロボの発光部がポップアップする物がある。この場合は完全にポップアップして発光部が正面を向く前に７ｉのように下向きになりこの場合でも発光する物がある。この発光部から出た光はカメラの頭部に遮られて被写体にはほとんど当たらない。すなわちカメラの頭部が遮光手段となり７ｊのように採光することが出来る。この場合のハウジング２は透明でも不透明でも良い。また、前例のように発光部の前方に前記フィルター等の部材を配置することも出来る。【００２４】  次に図１図３図５により動作の詳細を説明する。
現在、デジタルカメラのストロボにおいてはプレ発光と本発光を行って露出を制御する方法、装置が一般的であり本発明でもこの方法、装置を基準に説明する。図３は本発明のストロボ装置の一実施例を示すブロック図と配線図である。公知の動作は簡略化して説明する。
スイッチ２２をオンにすると電池２１から電力が供給され昇圧回路２４により昇圧された高電圧がメインコンデンサ２５に充電される。
メインコンデンサ２５の電圧が所定値以上になるとレディ回路２６により発光の準備が出来たことが表示される。
その後カメラのシャッターボタンを押すと最初に図１の内蔵ストロボ６がプレ発光する。この発光の様子を図５に示し内蔵ストロボのプレ発光の立ち上がりが７１、立ち下がりが７２である。
この内蔵ストロボ６のプレ発光の光を、導光手段の一つとして光ファイバー８を使用して光検出回路９に光を導く。【００２５】  このプレ発光をトリガーとして外付けストロボが発光開始するまでを、プレ発光開始手段としてその一実施例を述べる。
光検出回路９はフォトトランジスタ３２と負荷抵抗３３からなり光は電気信号に変換される。
この信号は発光開始信号検出回路４５に印加される。発光開始信号検出回路４５は信号の立ち上がりを検出するものでコンデンサ４０により検出した信号の立ち上がり分をトランジスタ４１で交流増幅してコンデンサ４２を介してトランジスタ４３で検出する。
さらにトランジスタ４４をバッファーとして使用し、ＯＮ信号として発光開始信号をトリガー回路２７に加えれば、トリガー回路が動作して放電管２８が発光を開始する。
内蔵ストロボのプレ発光時間は図５の７１と７２のように非常に短くすぐに発光を停止する。この発光停止は７２のような立ち下がり信号で前記と同様に光ファイバー８を使用して光検出回路９に光を導く。
さらに前記と同じフォトトランジスタ３２によって電気信号に変換される。本実施例では発光開始と発光停止の検出は同じフォトトランジスタで行っているが別々に合計２個使用することも出来る。【００２６】  このプレ発光の発光停止をトリガーとして外付けストロボが発光停止するまでを、プレ発光停止手段としてその一実施例を述べる。
この場合の発光停止時の立ち下がりを検出するのが発光停止信号検出回路３９で、微分コンデンサ３４により立ち下がりのエッジ（縁）を検出して、その信号をコンデンサ３５を介してトランジスタ３６によって交流増幅する。次にその信号をコンデンサ３７を介してトランジスタ３８で検出してＯＮ信号とする。この信号は発光停止信号入力回路３０に印加され、さらに発光制御回路に印加され放電管は発光を停止する。尚ゲート電圧発生回路２３はストロボが発光している間、必要な電力を発光停止信号入力回路３０に供給する作用をする。【００２７】  前記、発光開始と発光停止を検出する回路は一実施例であり同等の効果があれば他の装置でも良い。例えばデジタル化して立ち上がりと立ち下がりを検出する回路。オペアンプ、コンパーレータ等を使用したＩＣ回路でも動作する。
この外付けストロボの発光動作を図５のｂに示し発光開始タイミングが７５、発光停止タイミングが７６である。この場合多少の時間遅れが出る。発光開始においては放電管内のガスがすぐに活性化して光にならないからで物理的特性の為である。
他の電気回路部分の遅れがほとんど無い場合で図５のｂのように約２０μＳ（マイクロセカンド）の遅れが出る。しかしこの遅れは図で書くと大きく見えるが実際は微少のもので、しかも前記のように内蔵ストロボの光は被写体に当たらないで代わりに外付けストロボの光が被写体に当たっている。その為、内蔵ストロボと外付けストロボの両方の光が二重になって当たらないので問題無い訳である。
電気回路部分では出来るだけ動作の遅れを少なくするために回路を単純化して遅延部品（バイパスコンデンサ等）は使用しないか、微少にしている。尚図３にはバイパスコンデンサは使用していない。【００２８】  次に発光停止の方は発光開始ほどの遅れは出ない。放電管の発光を止める素子は半導体の為で、動作スピードは速く動作遅れはほとんど無い。
現在この素子にはＩＧＢＴが使用されている。このＩＧＢＴがＯＦＦになると放電管に流れている電流は直ちに遮断されるが放電管内部のガスが光っていて多少の残光がある。この放電管の特性と電気回路の動作時間の微調整により発光停止タイミングを７６のようにすることができ、内蔵ストロボとほぼ同じ閃光時間にすることが出来る。この為カメラの回路は内蔵ストロボが発光したときと同じ数値データで動作しても問題無いことになる。
次にこのプレ発光の光１３が被写体１４に当たりその反射光１５がカメラのレンズを通りＣＣＤ（ＣＭＯＳ）４で電気信号に変換されその値のレベルにより制御回路３で本発光の量が算出される。
約１００ｍＳ（ミリセカンド）後に７３のように内蔵ストロボの本発光が開始される。
この内蔵ストロボ６の本発光の光を、前記プレ発光と同じに光ファイバー８を使用して光検出回路９に導く。
この本発光をトリガーとして外付けストロボが本発光開始するまでを、本発光開始手段とする。この動作は前記で説明したプレ発光の発光開始の場合と同じであり７７のように発光を開始する。
その後、所定値（適正露出）になったとき７４のように内蔵ストロボの本発光が停止する。
この光信号も前記プレ発光と同じに光ファイバー８を使用して光検出回路９に導かれ、この本発光の停止をトリガーとして外付けストロボが本発光停止するまでを、本発光停止手段とする。この動作は前記で説明したプレ発光の発光停止の場合と同じである。外付けストロボは７８のように本発光を停止して一連の動作は終了する。
このように外付けストロボは内蔵ストロボとほぼ同じに動作しているので内蔵ストロボの光が被写体に当たらなくても適正露出になる訳である。【００２９】  次に外付けストロボのプレ発光の閃光時間を調整する方法及び装置を説明する。外付けストロボを使用した場合、露出を正確にするためには、外付けストロボのプレ発光の光量が内蔵ストロボと出来るだけ同じになることが望ましい。（前記遮光手段を外して発光させて測定器で比べて見たとき）
しかし、外付けストロボの方が大型のため発光開始の立ち上がりが緩やかになりやすい。この様子を図６に示す。
外付けストロボのプレ発光が前記のように回路及び放電管回路等を調整して７９のようになれば下記のような調整はしなくても良く、問題無いわけであるが、８０ａのような立ち上がりの場合２０μＳ後に発光が停止すると光量が足りなくなってしまう。この場合はプレ発光の発光停止時間を遅らせれば良い訳であり、内蔵ストロボのプレ発光の発光停止をトリガーとして使用していても、その発光停止とほぼ同時に外付けストロボの発光を停止させる前記の装置、方法に回路を追加したものである。【００３０】  これをプレ発光遅延停止手段としてこの方法及び装置を図３により説明する。図３の一部はプレ発光遅延停止手段としての一実施例である。
最初は通常の動作で発光開始信号検出回路４５からの発光開始信号で前記のように発光を開始する。
その後プレ発光の時だけ発光停止時間を遅らせる必要があるため発光停止信号の出力から４６のように信号を取りプレ発光分別回路４７でプレ発光と本発光を分別する。これは最初の信号と約１００ｍＳ後に来る２回目の信号を分別するだけのもので公知の回路である。
プレ発光の信号は分別されて４９の方に進み遅延回路５０で適正に遅延（８０ｂの場合１０μＳ）され発光停止信号入力回路に印加される。遅延回路は公知の物で良く、たとえばコンデンサと抵抗を使用した物である。この遅延時間は実写テストをして最適値に調整すると良い。
その後の動作は前記と同じである。本発光の方は遅延させる必要は無いので４８の方を通り遅延回路は通らない。そのため本発光は遅延しないで発光を停止する。この様な回路は同様な動作原理のデジタル回路でも良くまた、マイコンで動作させても良い。
外付けストロボのプレ発光は８０ｂのように閃光時間が長くなり光量としては内蔵ストロボとほぼ同じにすることが出来る訳である。
また、実写テストにより遅延時間が最適値になるよう、調節することも出来る。【００３１】  他のプレ発光遅延停止手段の簡易形として発光停止信号検出回路３９の動作を遅延させることも出来る。これは公知の抵抗とコンデンサを使用した積分型の遅延回路を発光停止信号検出回路３９に追加することで達成出来る。この場合プレ発光分別回路４７が無いので本発光の時も発光停止が遅れることになるが本発光の遅れはそれほど露出に影響無いので簡易形としては充分である。
何の対策も無い従来の装置の場合、プレ発光は８１に示すようにさらに立ち上がりが遅くなり正しく機能しなくなる。
外付けストロボを正しく動作させる為には立ち上がり時間短縮手段が必要になる。また、前記のように外付けストロボの本発光の発光曲線９０を内蔵ストロボの発光曲線８９と（実際は内蔵ストロボの光は遮光手段により被写体に当たっていないが当たった場合を想定して）同等にする方が露出は正確になるわけである。そのため外付けストロボの方にフル発光時の閃光時間短縮手段が必要になる。
内蔵ストロボは小型の為、放電管が短くその為外付けストロボよりフル発光時の閃光時間が短くなっている訳で、外付けストロボの閃光時間を内蔵ストロボに合わせ、従来の長めの物より短くする必要がある。
この閃光時間短縮手段は立ち上がり時間短縮手段と相関関係にあり、例えば閃光時間を短くすれば立ち上がり時間も短縮される。【００３２】  この方法及び装置を図７、図８により説明する。
内蔵ストロボはどのカメラの物もほとんど同じで小型である。
外付けストロボは内蔵ストロボより強力にしなくては意味が無いことを考慮すると外付けストロボの放電管は内蔵ストロボと同じ物は使用出来ないことが分かる。もし、同じ物を使用すれば過大入力が加わり不良になってしまう。
すなわち内蔵ストロボより大きい物が必要になる。しかし、長い放電管を使用すれば閃光時間は長くなり同時に立ち上がり時間も遅くなってしまう。
本件では実験により以下のデータを出している。
放電管を２本（またはそれ以上）並列接続にすると著しい効果がある。
図７ａの８２と８３に示す。この場合の放電管は一本使いの場合より長い物が使用出来る。
放電管を一本使用する場合は直列にチョークコイルを入れると立ち上がり時間が遅くなり良くない。もし入れる場合は２０μＨ（マイクロヘンリー）以下にする。これを図７ｂの８４に示す。
放電管一本で使用するときのアーク長は出来るだけ短くしたいが内径２．１ｍｍ（外形３．２ｍｍ）または内径１．９ｍｍ（外形３．１ｍｍ）の場合アーク長２０ｍｍ以上必要。これより短いと過大入力により不良になる。これを図８の８５、８７に示す。
内径２．６ｍｍ（外形３．６ｍｍ）の場合アーク長４０ｍｍ以下が必要。これより長いと閃光時間は長くなり同時に立ち上がり時間も遅くなってしまう。これを図８の８６、８８に示す。
このような選択によりフル発光時の閃光時間は長くても９０のようになり内蔵ストロボのほぼ２倍以内に収まれば使用上問題無いと言える。
このように放電管の選択が必要になる。【００３３】  次に上記のように放電管の選択をして調整したがそれでも外付けストロボの閃光時間が内蔵ストロボより長くなってしまうが、さらに内蔵ストロボの発光曲線に近づけたい場合で、これを電気回路で修正する方法及び装置を図３、図９により説明する。
内蔵ストロボは容積、寸法の制限があり小型に出来ていて、どのカメラでもそれほど変わらずフル発光時の閃光時間は８９に示すようにおよそ０．７５ｍＳである。外付けストロボのフル発光が９０のようにおよそ１．５ｍＳあっても９１のように通常使用の場合途中で発光を止める閃光時間リミッター手段を設けて内蔵ストロボに合わせれば良いわけである。
この方法は図３の減光量発光停止信号発生回路３１を設け発光開始時に発生するゲート電圧発生回路２３からの電圧を積分して所定の時間になったとき信号を出して発光停止信号入力回路３０に加えれば良い。このようにすると９１のように途中で発光が停止して露出オーバーにならない。
図の９１より左側（発光開始から９１まで）の制御は従来通り行われる。閃光時間リミッター手段は解除出来るようにしておけば、遠距離で光量が必要な時有効に利用できる。【００３４】  次に図４について説明する。前記の説明では内蔵ストロボのプレ発光の発光停止を検出してそれをトリガーとして外付けストロボのプレ発光を停止していた訳であるが、デジタルカメラの内蔵ストロボはどのカメラでもほとんど同じような仕様でプレ発光の閃光時間もほとんど同じである。これは本発光の為に電力を蓄えておかなくてはならないので、プレ発光はどのカメラでも最小限にしているからである。
その為に、本発明において外付けストロボのプレ発光は内蔵ストロボのプレ発光の発光停止をトリガーとしなくても適正に調整すれば良いことになりこれをプレ発光停止手段２として下記に説明する。
内蔵ストロボがプレ発光すると前記のように発光開始信号検出回路４５が動作してプレ発光開始信号が出る。その信号はタイマー５３とプレ発光信号発生回路６３に加わる。タイマー５３は約０．２秒プラス電圧を発生する。
そしてプレ発光停止信号発生回路６３内のトランジスタ５５がＯＮになり抵抗５６とコンデンサ６０の積分回路により所定の時間後にトランジスタ６１がＯＮになりプレ発光停止信号が発光停止信号入力回路３０に印加されプレ発光は停止する。内蔵ストロボのプレ発光停止信号は利用していないことになる。
コンデンサ５４はトランジスタ５５のＯＮ時間を伸ばす作用をする。
また、タイマー５３に接続しているコンデンサ５２は発光停止信号検出回路３９のプレ発光時の停止信号の発生を阻止する為の物でトランジスタ５１に信号を印加して回路をインヒビットしている。このコンデンサ５２はタイマーの立ち上がりの時だけ信号が出る微分回路の為、次の本発光では動作せずにトランジスタ５１もＯＮしないためインヒビットは効かず、発光停止信号検出回路３９は内蔵ストロボの本発光の発光停止時は動作して信号を出す。【００３５】  次の本発光時はタイマー５３からの信号によりトランジスタ５９とコンデンサ５８抵抗５７からなる遅延回路６２がＯＮしてトランジスタ６１をインヒビットするので本発光時はプレ発光停止信号発生回路６３からは信号が出ずに発光停止信号検出回路３９から発光停止信号が出て通常の動作をする。
尚このような回路は同様な動作原理のデジタル回路でも良くまた、マイコンで動作させても良い。
このような回路では抵抗５６またはコンデンサ６０を調整してあらかじめ所定のカメラの内蔵ストロボのプレ発光に合わせて外付けストロボを発光させることが出来、特定のカメラ用に使用する場合便利である。また、前記のように内蔵ストロボのプレ発光はどのカメラもほとんど同じ為、同様の多機種のカメラに使用することも出来る。
【発明の効果】
【００３６】  前記に詳しく説明した通り本発明によれば、カメラの内蔵ストロボの発光部は赤外光透過可視光遮断のフィルター（または同等品）で覆われていて、内蔵ストロボの発光が原因になっている前記マリンスノー現象が起こらなくなる作用と共に、外付けストロボの被写体からの反射光をカメラのレンズを通して測定しているので前記オートストロボの欠点である▲１▼〜▲５▼を解消することができる。
外付けストロボの操作を簡単にすることが出来、測光誤差が少なくなり簡単に適正露出で高品位の写真が撮れるようになる効果がある。
【図面の簡単な説明】
【００３７】
【図１】  本出願の方法、装置の動作を説明するための実施図である。
【図２】  従来例の方法、装置の動作を説明するための実施図である。
【図３】  本出願の方法、装置の回路動作を説明するための実施図である。
【図４】  本出願の方法、装置の別の回路動作を説明するための実施図である。
【図５】  本出願の方法、装置の発光動作を説明するための波形図である。
【図６】  本出願の方法、装置の発光動作を説明するための波形図である。
【図７】  本出願の方法、装置の部品の選択を説明するための部品図である。
【図８】  本出願の方法、装置の部品の選択を説明するための部品図である。
【図９】  本出願の方法、装置の発光動作を説明するための波形図である。
【符号の説明】
１  デジタルカメラ
２  防水ハウジング
５  レンズ
６  内蔵ストロボ
７  フィルター
８  光ファイバー
９  光検出回路
１１ａ（本発明の）外付けストロボ
１４  被写体
２８  放電管
２９  発光制御回路
３０  発光停止信号入力回路
３１  減光量発光停止信号発生回路
３２  フォトトランジスタ
３９  発光停止信号検出回路
４５  発光開始信号検出回路
４７  プレ発光分別回路
５０  遅延回路
５３  タイマー
６３  プレ発光停止信号発生回路
【図１】
2006109386.tif 000003
【図２】
2006109386.tif 000004
【図３】
2006109386.tif 000005
【図４】
2006109386.tif 000006
【図５】
2006109386.tif 000007
【図６】
2006109386.tif 000008
【図７】
2006109386.tif 000009
【図８】
2006109386.tif 000010
【図９】
2006109386.tif 000011